(57)【要約】  （ａ）下記一般式（１）  Ｒ1ＣＯＯＭ    （１）（式中、Ｒ1は炭素数５〜２５の直鎖又は分岐鎖の一価炭化水素基を示し、水素原子の一部が水酸基で置換されていてもよい。Ｍはアルカリ金属を示す。）で表される脂肪酸塩と、（ｂ）両性界面活性剤又は半極性界面活性剤と、（ｃ）酸解離指数が８．０〜１１．０の化合物とを含有する液体洗浄剤組成物であって、（ａ）成分中、（一般式（１）のＲ1が１１以下の一価炭化水素基である脂肪酸塩）／（一般式（１）のＲ1が１２以上の一価炭化水素基である脂肪酸塩）で表される質量比が１．５〜１０．０である液体洗浄剤組成物とすることで、洗浄時の泡質、皮膚刺激性のなさ、組成物の低温保存安定性に優れ、フォーマー容器に充填した場合、目詰りを起こさず良好な泡を吐出することができる液体洗浄剤組成物を提供することができる。【特許請求の範囲】
【請求項１】
（ａ）下記一般式（１）
Ｒ1ＣＯＯＭ    （１）
（式中、Ｒ1は炭素数５〜２５の直鎖又は分岐鎖の一価炭化水素基を示し、水素原子の一部が水酸基で置換されていてもよい。Ｍはアルカリ金属を示す。）
で表される脂肪酸塩と、
（ｂ）両性界面活性剤又は半極性界面活性剤と、
（ｃ）酸解離指数が８．０〜１１．０の化合物と
を含有する液体洗浄剤組成物であって、（ａ）成分中、（一般式（１）のＲ1が１１以下の一価炭化水素基である脂肪酸塩）／（一般式（１）のＲ1が１２以上の一価炭化水素基である脂肪酸塩）で表される質量比が１．５〜１０．０であるフォーマー容器用液体洗浄剤組成物。
【請求項２】
（ｃ）成分が下記一般式（２）
Ｒ2−ＮＨ2    （２）
（式中、Ｒ2は炭素数１〜６の直鎖又は分岐鎖の一価炭化水素基を示し、水素原子の一部が水酸基で置換されていてもよい。）
で表される化合物である請求項１記載のフォーマー容器用液体洗浄剤組成物。
【発明の詳細な説明】
【技術分野】
【０００１】
本発明は、液体洗浄剤組成物に関し、洗浄時の泡質が良く、皮膚刺激性が特に少なく、組成物の低温保存安定性に優れ、フォーマー容器に充填した場合に、目詰りを起こさず良好な泡を吐出することができる液体洗浄剤組成物に関する。
【背景技術】
【０００２】
洗浄剤組成物は、洗浄時の泡量及び泡質が優れ、かつすすぎ後ぬるつきがないことが望まれている。また、皮膚の弱い人においては皮膚刺激性が少ないことも重要である。中でも、脂肪酸塩を主基剤とする液体洗浄剤組成物は、一般の界面活性剤と比べて泡のクリーミー性に優れ、ぬるつかず、さっぱりと洗い上がることから、洗顔剤やボディソープ、ハンドソープ等に用いられている。【０００３】
しかしながら、脂肪酸塩を含有する洗浄剤組成物は、低温保存下で析出が発生しやすいことから、組成物の低温保存安定性に優れたものが望まれていた。【０００４】
一方、液体洗浄剤組成物をフォーマー容器に充填し、洗浄剤組成物と空気とを同時にメッシュに通すことにより泡が形成され、吐出されるフォーマー容器入り洗浄剤組成物は、利便性に優れている。しかしながら、脂肪酸塩を主基剤とした液体洗浄剤組成物は、低温や、保存により、析出物が発生しやすく、フォーマー容器に充填した場合、メッシュの目詰りを起こし、泡が吐出されにくくなるという問題があった。【０００５】
これに対し、特許文献１（特開平８−９２０６４号公報）には、１種又は２種以上の高級脂肪酸のトリエタノールアミン塩等の塩とその他の塩を配合し、低温下での使用性の改良を目的とした洗浄剤組成物が提案されている。しかしながら、この提案では、低温時の粘度上昇は抑制できるものの、経時によりｐＨが低下したときの析出物を抑制するには充分ではない。【０００６】
特許文献２（特開平８−１４３８９９号公報）には、アミノ酸系界面活性剤及び高級脂肪酸塩を配合し、低温下での使用性等の改良を目的とした洗浄剤組成物が提案されている。しかしながら、この提案では、脂肪酸塩の特徴であるさっぱりとしたすすぎ感触が得られず、また、特許文献１と同様に、経時によりｐＨが低下したときの析出物を抑制するには充分ではない。【０００７】
特許文献３（特開平１１−３５９７２号公報）には、高級脂肪酸の塩基性アミノ酸塩、両性又は半極性界面活性剤、及び多価アルコールを含有し、泡質と低温安定性に優れた洗浄剤組成物が提案されている。しかしながら、この提案では両性又は半極性界面活性剤により、配合初期では脂肪酸の析出は抑制されるが、経時によりｐＨが低下したときの析出物を、さらに抑制することが望まれていた。【０００８】
特許文献４（特開２００５−１５４６５１号公報）には、３種類の高級脂肪酸塩を特定の比率で混合することにより、メッシュの目詰りを起こさず、かつ低温安定性に優れる洗浄剤組成物が提案されている。しかしながら、この提案においても配合初期での低温安定性には優れているものの、経時によりｐＨが低下したときの析出物を、さらに抑制することが望まれていた。【０００９】
特許文献５（特開２００５−２１３２３０号公報）には、特定の脂肪酸組成と中和剤及び特定の高分子化合物との組み合わせにより、合成界面活性剤を使用せず、脂肪酸石鹸のみでポンプフォーマーから容易に泡吐出できる技術が提案されている。しかしながら、活性剤を脂肪酸塩のみとし、合成界面活性剤を使用しておらず、低温において容易に析出物が発生する。以上のことから、洗浄剤組成物のｐＨが低くなっても、析出物の発生が抑制され、フォーマー容器の目詰まりを改善する手段が望まれていた。【００１０】
【特許文献１】特開平８−９２０６４号公報
【特許文献２】特開平８−１４３８９９号公報
【特許文献３】特開平１１−３５９７２号公報
【特許文献４】特開２００５−１５４６５１号公報
【特許文献５】特開２００５−２１３２３０号公報
【特許文献６】特開平７−３１５４６３号公報
【特許文献７】特開平８−２３０９６１号公報
【特許文献８】特開２００５−１９３９７２号公報
【発明の開示】
【発明が解決しようとする課題】
【００１１】
本発明は、洗浄時の泡質が良く、皮膚刺激性が特に少なく、組成物の低温保存安定性に優れ、フォーマー容器に充填した場合、目詰りを起こさず良好な泡を吐出することができるフォーマー容器用液体洗浄剤組成物を提供することを目的とする。なお、低温安定性とは、液体洗浄剤組成物のpＨが低下しても低温保存下、経時による析出物や沈殿の発生を抑制することである。
【課題を解決するための手段】
【００１２】
本発明者は、低温や、経時によりｐＨが低下したときの析出物が一般式（１）において、Ｒ1が１２以上の一価炭化水素基である脂肪酸塩であることを見出した。そこで、脂肪酸塩中の特定の炭素鎖中の長さを有するものの比率を特定の比率とすること、さらに、脂肪酸塩と、両性界面活性剤又は半極性界面活性剤とを含有する液体洗浄剤組成物に、酸解離指数が８．０〜１１．０の化合物を配合することで、低温下や、洗浄剤組成物のｐＨが低くなっても、析出物の発生が抑制され、フォーマー容器の目詰まりを改善し、泡として吐出できることを知見した。さらに、上記洗浄剤組成物は、洗浄時の泡質が良く、皮膚刺激性が特に少ないことを知見し、本発明をなすに至ったものである。【００１３】
従って、本発明は
[１]．（ａ）下記一般式（１）
Ｒ1ＣＯＯＭ    （１）
（式中、Ｒ1は炭素数５〜２５の直鎖又は分岐鎖の一価炭化水素基を示し、水素原子の一部が水酸基で置換されていてもよい。Ｍはアルカリ金属を示す。）
で表される脂肪酸塩と、
（ｂ）両性界面活性剤又は半極性界面活性剤と、
（ｃ）酸解離指数が８．０〜１１．０の化合物と
を含有する液体洗浄剤組成物であって、（ａ）成分中、（一般式（１）のＲ1が１１以下の一価炭化水素基である脂肪酸塩）／（一般式（１）のＲ1が１２以上の一価炭化水素基である脂肪酸塩）で表される質量比が１．５〜１０．０であるフォーマー容器用液体洗浄剤組成物、
[２]．（ｃ）成分が下記一般式（２）
Ｒ2−ＮＨ2    （２）
（式中、Ｒ2は炭素数１〜６の直鎖又は分岐鎖の一価炭化水素基を示し、水素原子の一部が水酸基で置換されていてもよい。）
で表される化合物である[１]記載のフォーマー容器用液体洗浄剤組成物を提供する。
【発明の効果】
【００１４】
本発明によれば、洗浄時の泡質が良く、皮膚刺激性が特に少なく、組成物の低温保存安定性に優れ、フォーマー容器に充填した場合にも、目詰りを起こさず良好な泡が吐出されるフォーマー容器用液体洗浄剤組成物を提供することができる。
【発明を実施するための最良の形態】
【００１５】
（ａ）成分は下記一般式（１）で表される脂肪酸塩であり、１種単独で又は２種以上を適宜組み合わせて用いることができる。
Ｒ1ＣＯＯＭ    （１）
（式中、Ｒ1は炭素数５〜２５の直鎖又は分岐鎖の一価炭化水素基を示し、水素原子の一部が水酸基で置換されていてもよい。Ｍはアルカリ金属を示す。）【００１６】
Ｒ1は炭素数５〜２５、好ましくは７〜１７、より好ましくは１１〜１７の直鎖又は分岐鎖の一価炭化水素基であり、飽和であっても不飽和であってもよい。【００１７】
（ａ）成分としては、カプロン酸、ヘプタン酸、カプリル酸、ペラルゴン酸、カプリン酸、ウンデカン酸、ラウリン酸、カプロレイン酸、ウンデシレン酸、ラウロレイン酸、２−エチルブタン酸、イソペンタン酸、２−エチルペンタン酸、２−エチルヘキサン酸、イソノナン酸、３，５，５−トリメチルヘキサン酸等の一般式（１）中のＲ1が１１以下の一価炭化水素基、トリデカン酸、テトラメチルノナン酸、ミリスチン酸、ペンタデカン酸、パルミチン酸、ステアリン酸、アラキン酸、ベヘン酸、リグノセリン酸、セロチン酸、ミリストレイン酸、パルミトレイン酸、オレイン酸、エライジン酸、ゴンドイン酸、エルカ酸、セラコレイン酸、リノール酸、リノエライジン酸、リノレン酸、アラキドン酸、２−ヘキシルデカン酸、イソステアリン酸、１２−ヒドロキシステアリン酸等の一般式（１）中のＲ1が炭素数５〜２５の一価炭化水素基である脂肪酸塩が挙げられる。また、これらの混合物であるヤシ油脂肪酸、硬化ヤシ油脂肪酸、パーム油脂肪酸、硬化パーム油脂肪酸、パーム核油脂肪酸、硬化パーム核油脂肪酸、牛脂脂肪酸、硬化牛脂脂肪酸等が挙げられる。これらの中で、ラウリン酸、ミリスチン酸、パルミチン酸、ステアリン酸、イソステアリン酸、オレイン酸、ヤシ油脂肪酸が好ましく、より好ましくは、ラウリン酸、ミリスチン酸、ヤシ油脂肪酸である。その対となる塩は、ナトリウム、カリウム等のアルカリ金属等が挙げられ、析出抑制の点からカリウム塩が好ましい。脂肪酸の対となる塩としてはアミノ酸も広く使用されているが、高温保存時の色調や香りの劣化の懸念があるため、含まれない。【００１８】
（ａ）成分中、（一般式（１）のＲ1が１１以下の一価炭化水素基である脂肪酸塩）／（一般式（１）のＲ1が１２以上の一価炭化水素基である脂肪酸塩）で表される質量比が１．５〜１０．０であり、好ましくは２．０〜５．０、より好ましくは２．０〜４．０である。Ｒ1が１２以上の一価炭化水素基である脂肪酸塩が析出の主原因となりやすく、特に、ｐＨが低下した場合や低温時において顕著である。このことは本発明者の新知見である。上記質量比が１．５未満では組成物の低温保存安定性、容器からの泡吐出性が不充分となる。一方、１０．０を超えると皮膚刺激性の懸念がある。なお、上記数値は小数点第２を四捨五入したものである。【００１９】
液体洗浄剤組成物中の（ａ）成分の配合量は、低温安定性や泡質の点から、脂肪酸塩として８〜２０質量％が好ましく、より好ましくは８〜１５質量％である。８質量％未満では泡質が乏しくなる場合があり、２０質量％を超えると組成物の粘度が上昇し、フォーマー容器から容易に泡吐出できない場合がある。【００２０】
（ｂ）成分は両性界面活性剤又は半極性界面活性剤であり、１種単独で又は２種以上を適宜組み合わせて用いることができる。両性界面活性剤としては、アルキルベタイン、アルキルアミドベタイン等のカルボベタイン型両性界面活性剤、アルキルスルホベタイン、アルキルヒドロキシスルホベタイン等のスルホベタイン型両性界面活性剤、ホスホベタイン型両性界面活性剤、イミダゾリン型両性界面活性剤、アミドアミノ酸塩等が挙げられる。【００２１】
アルキルベタインとしては、ラウリルジメチルアミノ酢酸ベタイン等が挙げられる。アルキルアミドベタインとしては、ヤシ油脂肪酸アミドプロピルベタイン等が挙げられる。アルキルスルホベタインとしてはヤシ油脂肪酸ジメチルスルホプロピルベタイン等、アルキルヒドロキシスルホベタインとしては、ラウリルジメチルアミノヒドロキシスルホベタイン等が挙げられる。ホスホベタイン型両性界面活性剤としてはラウリルヒドロキシホスホベタイン等が挙げられる。イミダゾリン型両性界面活性剤としては、ヤシ油アルキル−Ｎ−ヒドロキシエチルイミダゾリニウムベタイン等が挙げられる。【００２２】
半極性界面活性剤としては、アシル第３級アミンオキシドやアシル第３級ホスフォンオキシド等が挙げられる。アシル第３級アミンオキシドとしては、ラウリルジメチルアミンオキシド、ＰＯＥヤシ油アルキルジメチルアミンオキシド、ジヒドロキシエチルラウリルアミンオキシド等が挙げられる。アシル第３級ホスフォンオキシドとしては、ラウリルジメチルホスフォンオキサイド等が挙げられる。【００２３】
これらの中でも、起泡性等を向上させる観点から、カルボベタイン型両性界面活性剤、ラウリルジメチルアミンオキシドが好ましく、カルボベタイン型のなかでも、ラウリルジメチルアミノ酢酸ベタインが好ましい。また、低温では粘度が若干上昇し、フォーマー容器からの泡吐出が良好となることから、ラウリルジメチルアミンオキシドが好ましい。さらに、合成活性剤の製造過程で含まれる塩化ナトリウムによって、脂肪酸の析出が促進される懸念があり、低温安定性を向上させる観点から脱塩処理したものがより好ましく、液体洗浄剤組成物中の塩化ナトリウム濃度は０．００１質量％以下であることが好ましい。【００２４】
液体洗浄剤組成物中の（ｂ）成分の配合量は、０．１〜５質量％が好ましく、より好ましくは０．５〜３質量％である。０．１質量％未満では低温安定性の向上に不充分となる場合があり、５質量％を超えるとすすぎ時にぬるつきを生じる懸念がある。（ａ）／（ｂ）で表される質量比は５０／１〜５／１が、低温安定性の点から好ましい。【００２５】
（ｃ）成分は酸解離指数が８．０〜１１．０の化合物であり、１種単独で又は２種以上を適宜組み合わせて用いることができる。なお、酸解離指数とは、−ｌｏｇ［１／酸解離定数］であり、酸解離定数は２５℃で測定する。酸解離指数が８．０〜１１．０の化合物としてはモノエタノールアミン、ジエタノールアミン、エチルアミン、２−アミノ−２−ヒドロキシメチル−１，３−プロパンジオール、３−アミノ−１−プロパノール、２−アミノ−２−メチル−１−プロパノール、２−アミノ−２−メチル−１，３−プロパンジオール、イソプロパノールアミン、イソプロピルアミン等が挙げられる。これらの中でも、低温安定性の点から、下記一般式（２）で表される化合物が特に好ましい。
Ｒ2−ＮＨ2    （２）
（式中、Ｒ2は炭素数１〜６、好ましくは１〜４の直鎖又は分岐鎖の一価炭化水素基を示し、水素原子の一部が水酸基で置換されていてもよい。）
なお、一価炭化水素基は飽和であっても不飽和であってもよい。【００２６】
一般式（２）で表される化合物の中でも、酸解離指数が９．０以上のモノエタノールアミン、エチルアミン、２−アミノ−２−メチル−１−プロパノール、イソプロパノールアミン、イソプロピルアミンが好ましく、この中でも、モノエタノールアミン、エチルアミン、イソプロパノールアミンが好ましい。【００２７】
液体洗浄剤組成物中の（ｃ）成分の配合量は、０．３〜３質量％が好ましく、より好ましくは０．５〜１質量％である。０．３％未満では、低温安定性の向上には不充分となる場合があり、３質量％を超えると、色調やにおいの劣化の懸念がある。【００２８】
本発明の液体洗浄剤組成物には、本発明の目的を損なわない範囲で、その他成分を１種単独で又は２種以上を適宜組み合わせて配合することができる。その他の成分としては液体洗浄剤組成物に通常用いられているものの中から適宜選択することができ、例えば、油分、シリコーン類、低級又は高級アルコール類、ラノリン誘導体、蛋白誘導体、アクリル樹脂分散液、ビタミン等の薬剤、殺菌剤、防腐剤、ｐＨ調整剤、酸化防止剤、金属封鎖剤、紫外線吸収剤、動植物抽出物又はその誘導体、色素、香料、顔料、無機粉体、粘土鉱物、ナイロン、ポリエチレン等の水不溶性ポリマー粉体等が挙げられる。【００２９】
香料成分として使用される香料原料のリストは、様々な文献、例えば「Ｐｅｒｆｕｍｅ  ａｎｄ  Ｆｌａｖｏｒ  Ｃｈｅｍｉｃａｌｓ  」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）及び「合成香料化学と商品知識」、印藤元一著、化学工業日報社（１９９６）及び「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）及び「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、それぞれを引用することにより本明細書の開示の一部とされる。【００３０】
香料用溶剤としては、エタノール、ベンジルベンゾエート、アセチン（トリアセチン）、ＭＭＢアセテート（３−メトキシ−３−メチルブチルアセテート）、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、１，３−ブチレングリコール等が挙げられる。これら香料用溶剤は、香料組成物中に０．１〜９９質量％配合されるが、好ましくは、０．１〜１０質量％配合される。【００３１】
香料安定化剤としては、ジブチルヒドロキシトルエン、ブチルヒドロキシアニソール、ビタミンＥとその誘導体、カテキン化合物、フラボノイド化合物、ポリフェノール化合物等が挙げられ、香料組成中に０．０００１〜１０質量％配合されるが、好ましくは、０．００１〜５質量％配合される。これらの中で、好ましい安定化剤としては、ジブチルヒドロキシトルエンである。【００３２】
香料組成物とは、前記の香料成分、溶剤及び香料安定化剤からなる混合物である。本発明の液体洗浄剤組成物にはかかる香料組成物が、液体洗浄剤組成物中０．００５〜４０質量％配合されるが、好ましくは０．０１〜１０質量％配合される。【００３３】
本発明の液体洗浄剤組成物はフォーマー容器用であり、フォーマー容器に充填するフォーマー容器充填用である。また、液体洗浄剤組成物と、これを充填したフォーマー容器とを備えた液体洗浄剤組成物製品とすることができる。フォーマー容器はノンガス型の泡吐出容器である。ノンガス型の泡吐出容器としては、液体洗浄剤組成物を空気と混合して発泡状態で吐出できるものであれば特に限定されず、例えば、ボトル胴部を手で圧搾することによって泡を吐出できるスクイズフォーマー容器、ノズル部を押し下げることによって泡を吐出できるポンプフォーマー容器等が挙げられ目的に応じて適宜選択することができる。このようなフォーマー容器は、大和製罐（株）製、（株）吉野工業所製等を使用することができる。【００３４】
ノンガス型の泡吐出容器は、通常、泡を形成するための多孔質膜体を有し、液体洗浄剤組成物が該多孔質膜体を通過することにより泡が形成されるものである。この多孔質膜体のメッシュとしては、特に制限はなく、目的に応じて適宜選択することができるが、１００メッシュ以上が好ましく、より好ましくは１００〜４００メッシュであり、さらに好ましくは１５０〜３５０メッシュである。多孔質膜体の材質は、ナイロン、ポリエステル、ポリオレフィン等のプラスチック材料が好ましい。【００３５】
多孔質膜体の枚数としては特に制限はなく、目的に応じて適宜選択することができるが、泡性能を向上させる観点から２〜４枚以上が好ましい。より具体的には、特開平７−３１５４６３号公報、特開平８−２３０９６１号公報、及び特開２００５−１９３９７２号公報に記載されたフォーマー容器を好適に使用することができる。【００３６】
液体洗浄剤組成物をフォーマー容器に充填した場合、液体洗浄剤組成物と空気とをメッシュ上で正確に混合させることが重要であり、メッシュを正常に保つことが、不可欠である。組成物中に形成された析出物がメッシュに詰まったり、充填された液体洗浄剤組成物が増粘したりし、メッシュを通過しにくくなると、吐出不良や泡質の低下を起こす。これに対し、本発明の液体洗浄剤組成物は析出物を抑制し、メッシュ部の詰まりを抑制して、泡吐出性に優れるものである。【００３７】
本発明の液体洗浄剤組成物を、前記多孔質膜体を備えた容器に充填し、冬場で使用する際に通常想定される５℃の粘度は０．１〜１５ｍＰａ・ｓが好ましく、より好ましくは１０ｍＰａ・ｓ以下であり、ノズル部を押し下げることによって泡を吐出できるポンプフォーマー容器と２００メッシュ２枚使用する際においても、０．１〜１５ｍＰａ・ｓが好ましく、より好ましくは１０ｍＰａ・ｓ以下である。なお、粘度の測定法は、粘度計（ＢＬ型粘度計、ロータ−Ｎｏ１，６０ｒｐｍ、６０秒、東京計器製）を用いて測定する。【００３８】
本発明の液体洗浄剤組成物は、皮膚用洗浄剤、毛髪用洗浄剤等として好適であり、通常の使用量、洗浄方法で使用することができる。【００３９】
本発明の液体洗浄剤組成物の製造方法としては特に制限はなく、常法に基づいて得ることができる。液体洗浄剤組成物を調製する装置としては特に制限はなく、目的に応じて適宜選択することができるが、剪断力と全体混合できる複数の撹拌羽根（プロペラ、タービン、ディスパー等）を備えた撹拌装置が好ましい。
【実施例】
【００４０】
以下、実施例及び比較例を示し、本発明を具体的に説明するが、本発明は下記の実施例に制限されるものではない。なお、下記の例において特に明記のない場合は、組成の「％」は質量％、比率は質量比を示し、表中の各成分の量は純分換算した量である。【００４１】
［実施例１〜２３、比較例１〜７］
表１〜４に示す組成の液体洗浄剤組成物を常法により調製した。得られた液体洗浄剤組成物について、下記評価を行った。結果を表中に併記する。液体洗浄剤組成物の調製直後のｐＨを１０．６に調整した。なお、ｐＨは東亜ディーケーケー株式会社製ｐＨメーター（ＨＭ−３０Ｖ）を用い、２５℃にしたサンプルを、２分間安定化させた値を測定した。【００４２】
（１）低温安定性
初期ｐＨ１０．６の液体洗浄剤組成物に二酸化炭素を強制的に吹き込み、実使用中に経時でｐＨが低下した状態（ｐＨ９．５）にした。この液体洗浄剤組成物を硬質ガラスのバイアルビンに充填し、温度０℃に保持された評価室において保存させた後、液体洗浄剤組成物の低温安定性を下記評価基準で評価した。
◎：非常に良好（３ヵ月間、析出物、沈殿物がなく外観の変化がない。）
○：良好（１ヵ月間析出物、沈殿物がなく、外観の変化がない。）
△：やや不良（１ヵ月後に析出物、沈殿物があり、品質上問題がある。）
×：不良（２週間後に析出物、沈殿物があり、品質上問題がある。）【００４３】
（２）低温下における泡吐出性の評価
初期ｐＨ１０．６の液体洗浄剤組成物に二酸化炭素を強制的に吹き込み、実使用中に経時でｐＨが低下した状態（ｐＨ９．５）にした。この液体洗浄剤組成物をノンガス型のポンプフォーマー容器（（株）吉野工業所製、２００メッシュ、２枚）に充填し、専門評価パネル１０名が以下の評価基準を基に、低温：０℃下における泡の吐出性（吐出された泡の外観不良がないこと、押し圧の上昇がないことについての総合評価）について評価し、パネラー１０名の評点平均値を求め、下記評点平均値の判定基準を基づき判定した。
<評価基準>
３点：非常に良好
２点：良好
１点：不良
<評点平均値の判定基準>
◎：２．５点以上
○：２．０点以上２．５点未満
△：１．５点以上２．０点未満
×：１．５点未満【００４４】
（３）泡性能・皮膚刺激性
ノンガス型のポンプフォーマー容器（（株）吉野工業所製、２００メッシュ、２枚）に液体洗浄剤組成物を充填し、専門評価パネル１０名が液体洗浄剤組成物を用いて皮膚及び毛髪を洗浄し、下記評価基準に基づいて泡性能（泡量・泡質の総合評価）、皮膚刺激性を評価した。結果は、パネラー１０名の評点平均値を求め、下記評点平均値の判定基準に基づき判定した。
泡性能
<評価基準>
５点：非常に良い
４点：良い
３点：普通
２点：悪い
１点：非常に悪い
<評点平均値の判定基準>
◎：４．０点以上
○：３．０点以上４．０点未満
△：２．０点以上３．０点未満
×：２．０点未満【００４５】
皮膚刺激性
<評価基準>
４点：刺激性がない
３点：刺激性がほとんどない
２点：刺激性がややある
１点：刺激性が明らかにある
<評点平均値の判定基準>
◎：３．５点以上
○：３．０点以上３．５点未満
△：２．０点以上３．０点未満
×：２．０点未満【００４６】
【表１】
2007145054.tif 000002
【００４７】
【表２】
2007145054.tif 000003
【００４８】
【表３】
2007145054.tif 000004
【００４９】
【表４】
2007145054.tif 000005
【００５０】
実施例の液体洗浄剤組成物は、実使用中に経時でｐＨが低下した状態（ｐＨ９．５）においても、低温安定性及び泡吐出性に優れていた。脂肪酸塩の溶解性向上策として、溶剤（プロピレングリコール、ソルビトール）の増量、ノニオン界面活性剤添加等が考えられるが、効果はなかった。以下に示す実施例についても、同様に評価を行った結果、低温安定性及び泡吐出性に優れると共に、泡性能に優れ、皮膚刺激もないものであった。【００５１】
［実施例２４］
下記組成のフォーマーポンプ充填用液体洗浄剤組成物を各液体洗浄剤組成物の常法に基づいて調製した。
【表５】
2007145054.tif 000006
【００５２】
［実施例２５］
【表６】
2007145054.tif 000007
【００５３】
［実施例２６］
【表７】
2007145054.tif 000008
【００５４】
［実施例２７］
【表８】
2007145054.tif 000009
【００５５】
実施例及び比較例で使用した各種成分は以下の通りである。
＊１    アモーゲン  Ｓ−Ｈ（第一工業製薬（株）製）
＊２    ケッショウクエンサンＬ（扶桑化学工業（株）製）
＊３    プロピレングリコール（旭硝子（株）製）
＊４    Ｄ−ソルビット液（東和化成工業（株）製）
＊５    油溶性甘薬エキス  Ｐ−Ｔ４０Ｎ（丸善製薬（株）製）
＊６    海藻エキス末（アルプス薬品工業（株）製）
＊７    レオアール  ＭＳ−２００（ライオン（株）製）
＊８    オクトピロックス（クラリアント・ジャパン（株）製）
＊９    ｌ−メントール（東洋薄荷工業（株）製）
＊１０  １，３−ブチレングリコール（ダイセル化学工業（株）製）
＊１１  ローズマリー水（丸善製薬（株）製）
＊１２  エマレックスＨＣ−５（日本エマルジョン（株）製）
＊１３  精製ホホバ油（香栄工業（株）製）
＊１４  トリクロサン（チバ・スペシャリティ・ケミカル（株）製）
＊１５  イソプロピルメチルフェノール（大阪化成（株）製）
＊１６  モノエタノールアミン（三井化学（株）製）【００５６】
ラウリン酸カリウム、ミリスチン酸カリウム、ステアリン酸カリウム、パルミチン酸カリウム、ヤシ油脂肪酸カリウムは、ラウリン酸：ＮＡＡ−１２２（日本油脂（株）製）、ミリスチン酸：ＮＡＡ−１４２（日本油脂（株）製）、パルミチン酸：ＮＡＡ−１７１（日本油脂（株）製）、ステアリン酸：ＮＡＡ−１７４（日本油脂（株）製）、オレイン酸：ＮＡＡ−３４（日本油脂（株）製）、ヤシ油脂肪酸：ヤシ脂肪酸（新日本理化（株）製）を用いた。
【国際調査報告】
2007145054.tif 000010
2007145054.tif 000011
2007145054.tif 000012
2007145054.tif 000013